(57)【要約】【課題】印刷前または印刷後の長尺状の印刷媒体に対して所定の処理を行う印刷媒体処理装置において、様々な種類の印刷媒体に対して処理を行う場合であっても、媒体繰出し部から繰り出される印刷媒体に所定の張力を付与することが可能な印刷媒体処理装置を提供する。【解決手段】この印刷媒体処理装置は、印刷媒体に対する処理を行う媒体処理部と、媒体処理部で処理される前の印刷媒体がロール状に巻回されて配置される媒体繰出し部と、媒体処理部で処理された後の印刷媒体がロール状に巻回されて配置される媒体巻取り部とを備えている。媒体繰出し部は、ロール状に巻回された印刷媒体であるロール状媒体９を支持しロール状媒体９と一緒に回転するとともにロール状媒体９の回転中心となる支持軸１１と、支持軸１１に連結されるトルクリミッタ１３とを備えており、トルクリミッタ１３のトルク設定値は、調整可能になっている。【選択図】図２
2020132362.tif 000002
【特許請求の範囲】
【請求項１】
印刷前または印刷後の長尺状の印刷媒体に対して所定の処理を行う印刷媒体処理装置において、
前記印刷媒体に対する処理を行う媒体処理部と、前記媒体処理部で処理される前の前記印刷媒体がロール状に巻回されて配置される媒体繰出し部と、前記媒体処理部で処理された後の前記印刷媒体がロール状に巻回されて配置される媒体巻取り部とを備え、
前記媒体繰出し部は、ロール状に巻回された前記印刷媒体であるロール状媒体を支持し前記ロール状媒体と一緒に回転するとともに前記ロール状媒体の回転中心となる支持軸と、前記支持軸に連結されるトルクリミッタとを備え、
前記トルクリミッタのトルク設定値は、調整可能になっていることを特徴とする印刷媒体処理装置。
【請求項２】
前記媒体繰出し部は、前記支持軸を回転可能に支持するフレームを備え、
前記トルクリミッタは、前記支持軸に連結され前記支持軸と一緒に回転する回転側部材と、前記フレームに取り付けられるとともに前記回転側部材を回転可能に保持する固定側部材と、前記支持軸の軸方向において前記回転側部材と前記固定側部材との間に配置される摩擦板と、前記回転側部材と前記摩擦板と前記固定側部材とが接触する方向に前記固定側部材に対して前記回転側部材を付勢する付勢部材とを備え、
前記トルクリミッタのトルク設定値は、前記付勢部材の付勢力を調整することで調整されることを特徴とする請求項１記載の印刷媒体処理装置。
【請求項３】
前記媒体処理部の内部に配置される前記印刷媒体は、上下方向に蛇行していることを特徴とする請求項１または２記載の印刷媒体処理装置。
【請求項４】
前記印刷媒体は、布帛であることを特徴とする請求項１から３のいずれかに記載の印刷媒体処理装置。
【請求項５】
請求項１から４のいずれかに記載の印刷媒体処理装置の調整方法であって、
前記媒体繰出し部にセットされるときの前記ロール状媒体の重量に応じて前記トルクリミッタのトルク設定値を調整して設定することを特徴とする印刷媒体処理装置の調整方法。
【発明の詳細な説明】
【技術分野】
【０００１】
本発明は、印刷前または印刷後の長尺状の印刷媒体に対して所定の処理を行う印刷媒体処理装置に関する。また、本発明は、かかる印刷媒体処理装置の調整方法に関する。
【背景技術】
【０００２】
従来、インクジェット方式による捺染方法が知られている（たとえば、特許文献１参照）。特許文献１に記載の捺染方法には、印刷前の印刷媒体（被プリント材）に前処理剤を塗布する前処理工程と、前処理工程後の印刷媒体にインクジェットプリンタで印刷を行う印刷工程と、印刷工程後の印刷媒体を高温の蒸気で加熱してインクの定着および発色を行う発色定着工程と、発色定着工程後に印刷媒体に残った余分な前処理剤およびインクを洗い流す洗浄工程とが含まれている。
【０００３】
また、従来、発色定着工程で使用されるインクジェット捺染用の蒸熱装置が知られている（たとえば、特許文献２参照）。特許文献２に記載の蒸熱装置は、印刷後の長尺帯状の布帛を高温の蒸気で加熱処理する蒸気室と、加熱処理前の布帛が配置される布帛取付け部と、加熱処理後の布帛が配置される布帛取外し部とを備えている。蒸気室の中には、布帛を搬送するための布帛搬送機構が設置されている。布帛搬送機構は、複数の搬送ローラからなる上部ローラ群と、複数の搬送ローラから下部ローラ群とによって構成されている。蒸気室の中では、布帛は、上下方向に蛇行しながら搬送される。
【０００４】
さらに、従来、複写機に搭載されるロール紙給紙装置が知られている（たとえば、特許文献３参照）。特許文献３に記載のロール紙給紙装置は、ロール紙が配置される複数の給紙部と、給紙部から引き出された印刷用紙を切断するカッタとを備えている。給紙部は、ロール紙の軸方向両端部に固定されるフランジ部材と、フランジ部材が載置されるとともにフランジ部材を回転可能に支持する２個の受けコロを有する２個の受け台と、ロール紙から引き出された印刷用紙を前進方向および逆進方向に送るフィードローラとを備えている。
【０００５】
特許文献３に記載のロール紙給紙装置では、１個の受け台が有する２個の受けコロのうちの１個の受けコロは、カッタによる印刷用紙の切断後にフランジ部材を逆転させてロール紙を巻き戻しロール紙の弛みを解消する巻き戻し機構を備えている。巻き戻し機構は、受け台に固定されたコロ軸に固定される内輪コロと、内輪コロの外周側に配置されるネジリコイルバネと、ネジリコイルバネの外周側に配置される外輪コロとを備えている。ネジリコイルバネの一端は内輪コロに固定され、ネジリコイルバネの他端は外輪コロに固定されている。
【０００６】
また、特許文献３に記載のロール紙給紙装置では、外輪コロは、スリーブと、スリーブの外周側に配置される角コイルと、角コイルの外周側に配置されるアウターケースとを備えている。ネジリコイルバネの他端はスリーブに固定されている。外輪コロは、角コイルを利用したトルクリミッタとなっており、ロール紙に対して一定の搬送負荷を付与することが可能になっている。そのため、特許文献３に記載のロール紙給紙装置では、ロール紙から引き出される印刷用紙に所定の張力を付与することが可能になっている。
【先行技術文献】
【特許文献】
【０００７】
【特許文献１】特開２００６−３４２４５４号公報
【特許文献２】特開２０１４−２５１５４号公報
【特許文献３】特開２００３−２７６２６４号公報
【発明の概要】
【発明が解決しようとする課題】
【０００８】
本願発明者は、特許文献２に記載の蒸熱装置のように印刷後または印刷前の長尺状の印刷媒体に対して所定の処理を行う印刷媒体処理装置に、処理前の印刷媒体がロール状に巻回されて配置される媒体繰出し部と、処理後の印刷媒体がロール状に巻回されて配置される媒体巻取り部とを設けることを検討している。また、本願発明者は、共通の印刷媒体処理装置を用いて、様々な種類の印刷媒体に対して所定の処理を行うことを検討している。また、本願発明者は、この印刷媒体処理装置において、特許文献３に記載されているようなトルクリミッタを採用して、媒体繰出し部から繰り出される印刷媒体に所定の張力を付与することを検討している。
【０００９】
しかしながら、特許文献３に記載されたトルクリミッタの場合、トルクリミッタのトルク設定値が一定になっているため、印刷媒体の種類に応じて印刷媒体の単位長さ当たりの重量が変動すると、印刷媒体に適切な張力を付与することが困難であることが本願発明者の検討によって明らかになった。具体的には、単位長さ当たりの重量が軽い印刷媒体に応じてトルクリミッタのトルク設定値を設定すると、単位長さ当たりの重量が重い印刷媒体に対して所定の張力を付与することができずに印刷媒体に弛みが生じること、また、単位長さ当たりの重量が重い印刷媒体に応じてトルクリミッタのトルク設定値を設定すると、単位長さ当たりの重量が軽い印刷媒体に過剰な張力が付与されることが本願発明者の検討によって明らかになった。
【００１０】
そこで、本発明の課題は、印刷前または印刷後の長尺状の印刷媒体に対して所定の処理を行う印刷媒体処理装置において、様々な種類の印刷媒体に対して処理を行う場合であっても、媒体繰出し部から繰り出される印刷媒体に所定の張力を付与することが可能な印刷媒体処理装置を提供することにある。また、本発明の課題は、かかる印刷媒体処理装置の調整方法を提供することにある。
【課題を解決するための手段】
【００１１】
上記の課題を解決するため、本発明の印刷媒体処理装置は、印刷前または印刷後の長尺状の印刷媒体に対して所定の処理を行う印刷媒体処理装置において、印刷媒体に対する処理を行う媒体処理部と、媒体処理部で処理される前の印刷媒体がロール状に巻回されて配置される媒体繰出し部と、媒体処理部で処理された後の印刷媒体がロール状に巻回されて配置される媒体巻取り部とを備え、媒体繰出し部は、ロール状に巻回された印刷媒体であるロール状媒体を支持しロール状媒体と一緒に回転するとともにロール状媒体の回転中心となる支持軸と、支持軸に連結されるトルクリミッタとを備え、トルクリミッタのトルク設定値は、調整可能になっていることを特徴とする。
【００１２】
本発明の印刷媒体処理装置では、媒体繰出し部は、ロール状媒体と一緒に回転する支持軸と、支持軸に連結されるトルクリミッタとを備えており、トルクリミッタのトルク設定値は、調整可能になっている。そのため、本発明では、処理される印刷媒体に応じた適切な値にトルクリミッタのトルク設定値を調整して設定することが可能になる。したがって、本発明では、処理される印刷媒体に応じた適切な値にトルクリミッタのトルク設定値を調整して設定することで、様々な種類の印刷媒体に対して処理を行う場合であっても、媒体繰出し部から繰り出される印刷媒体にトルクリミッタによって所定の張力を付与することが可能になる。
【００１３】
本発明において、たとえば、媒体繰出し部は、支持軸を回転可能に支持するフレームを備え、トルクリミッタは、支持軸に連結され支持軸と一緒に回転する回転側部材と、フレームに取り付けられるとともに回転側部材を回転可能に保持する固定側部材と、支持軸の軸方向において回転側部材と固定側部材との間に配置される摩擦板と、回転側部材と摩擦板と固定側部材とが接触する方向に固定側部材に対して回転側部材を付勢する付勢部材とを備え、トルクリミッタのトルク設定値は、付勢部材の付勢力を調整することで調整される。
【００１４】
本発明において、たとえば、媒体処理部の内部に配置される印刷媒体は、上下方向に蛇行している。また、本発明において、たとえば、印刷媒体は、布帛である。これらの場合には、媒体繰出し部から繰り出される印刷媒体に作用する張力が変動しやすくなるが、本発明では、媒体繰出し部から繰り出される印刷媒体にトルクリミッタによって所定の張力を付与することが可能になる。
【００１５】
本発明の印刷媒体処理装置の調整方法では、たとえば、媒体繰出し部にセットされるときのロール状媒体の重量に応じてトルクリミッタのトルク設定値を調整して設定する。この調整方法で印刷媒体処理装置を調整すれば、様々な種類の印刷媒体に対して処理を行う場合であっても、媒体繰出し部から繰り出される印刷媒体にトルクリミッタによって所定の張力を付与することが可能になる。
【発明の効果】
【００１６】
以上のように、本発明では、印刷前または印刷後の長尺状の印刷媒体に対して所定の処理を行う印刷媒体処理装置において、様々な種類の印刷媒体に対して処理を行う場合であっても、媒体繰出し部から繰り出される印刷媒体に所定の張力を付与することが可能になる。また、本発明の印刷媒体処理装置の調整方法で印刷媒体処理装置を調整すれば、様々な種類の印刷媒体に対して処理を行う場合であっても、媒体繰出し部から繰り出される印刷媒体にトルクリミッタによって所定の張力を付与することが可能になる。
【図面の簡単な説明】
【００１７】
【図１】本発明の実施の形態にかかる印刷媒体処理装置の構成を説明するための側面図である。
【図２】図１に示す媒体繰出し部の一部の側面図である。
【図３】図２に示すトルクリミッタの構成を説明するための断面図である。
【発明を実施するための形態】
【００１８】
以下、図面を参照しながら、本発明の実施の形態を説明する。
【００１９】
（印刷媒体処理装置の概略構成）
図１は、本発明の実施の形態にかかる印刷媒体処理装置１の構成を説明するための側面図である。
【００２０】
本形態の印刷媒体処理装置１は、印刷後の長尺状の印刷媒体２（帯状の印刷媒体２）に対して所定の処理を行うための装置である。具体的には、印刷媒体処理装置１は、印刷後の印刷媒体２を高温の蒸気によって加熱処理し、インクを印刷媒体２に定着させて発色させる発色機（蒸し機）である。本形態の印刷媒体２は、布帛である。印刷媒体２には、たとえば、インクジェットプリンタによって印刷が行われる。本形態の印刷媒体処理装置１では、単位長さ当たりの重量が異なる様々な種類の印刷媒体２に対して加熱処理を行うことが可能になっている。
【００２１】
印刷媒体処理装置１は、印刷媒体２に対する処理を行う媒体処理部４と、媒体処理部４で処理される前の印刷媒体２がロール状に巻回されて配置される媒体繰出し部５と、媒体処理部４で処理された後の印刷媒体２がロール状に巻回されて配置される媒体巻取り部６とを備えている。媒体処理部４は、印刷媒体２を加熱処理し、インクを印刷媒体２に定着させて発色させる蒸気室である。媒体処理部４の内部には、印刷媒体２を搬送する複数の搬送ローラ７が設置されている。媒体処理部４の内部に配置される印刷媒体２は、上下方向に蛇行している。すなわち、印刷媒体２は、媒体処理部４の内部で上下方向に蛇行しながらジグザグに搬送されている。
【００２２】
媒体巻取り部６は、印刷媒体処理装置１の下端側に配置されている。媒体巻取り部６には、ロール状に巻回された印刷後の印刷媒体２であるロール状媒体８が配置されている。媒体巻取り部６は、印刷後の印刷媒体２をロール状に巻き取る媒体巻取り機構を備えている。媒体繰出し部５は、印刷媒体処理装置１の上端側に配置されている。また、媒体繰出し部５は、媒体巻取り部６の上側に配置されている。媒体繰出し部５には、ロール状に巻回された印刷前の印刷媒体２であるロール状媒体９が配置されている。以下、媒体繰出し部５の構成を説明する。
【００２３】
（媒体繰出し部の構成）
図２は、図１に示す媒体繰出し部５の一部の側面図である。図３は、図２に示すトルクリミッタ１３の構成を説明するための断面図である。
【００２４】
媒体繰出し部５は、ロール状媒体９を支持する支持軸１１と、支持軸１１を回転可能に支持するフレーム１２と、支持軸１１に連結されるトルクリミッタ１３とを備えている。また、媒体繰出し部５は、支持軸１１の端部に取り付けられる歯車１４と、歯車１４と噛み合う歯車１５と、歯車１５が取り付けられる回転軸１６とを備えている。支持軸１１の軸方向は、長尺状の印刷媒体２の幅方向と一致している。以下の説明では、支持軸１１の軸方向を「左右方向」とするとともに、左右方向の一方側である図２、図３のＹ１方向側を「右」側とし、その反対側である図２、図３のＹ２方向側を「左」側とする。
【００２５】
支持軸１１には、ロール状媒体９が着脱可能に取り付けられている。上述のように、印刷媒体処理装置１では、様々な種類の印刷媒体２に対して加熱処理を行うことが可能になっており、支持軸１１には、様々な種類のロール状媒体９が着脱可能となっている。ロール状媒体９は、支持軸１１を回転中心にして支持軸１１と一緒に回転する。すなわち、支持軸１１は、ロール状媒体９と一緒に回転するとともに、ロール状媒体９の回転中心となっている。支持軸１１は、軸受を介してフレーム１２に回転可能に支持されている。
【００２６】
フレーム１２は、回転軸１６を回転可能に支持する支持部材１７と、支持部材１７に固定される支持部材１８とを備えている。支持部材１７は、フレーム１２のフレーム本体の右端部に固定されている。支持部材１７は、軸受を介して回転軸１６を回転可能に支持している。なお、支持部材１７は、軸受を介して支持軸１１の右端部も回転可能に支持している。
【００２７】
回転軸１６は、回転軸１６の軸方向と左右方向とが一致するように配置されている。また、回転軸１６は、たとえば、支持軸１１の右端部の下側に配置されている。歯車１４は、支持軸１１の右端部に取り付けられている。歯車１４は、支持軸１１と一緒に回転する。歯車１５は、左右方向における回転軸１６の中心位置に取り付けられている。歯車１５は、回転軸１６と一緒に回転する。歯車１５のピッチ円径は、歯車１４のピッチ円径よりも小さくなっている。
【００２８】
トルクリミッタ１３は、回転軸１６に取り付けられる回転側部材２１と、回転側部材２１を回転可能に保持する固定側部材２２と、左右方向において回転側部材２１と固定側部材２２との間に配置される摩擦板２３と、左右方向の一方側に回転側部材２１を付勢する付勢部材としての圧縮コイルバネ２４と、圧縮コイルバネ２４の付勢力を調整するための調整部材２５とを備えている。トルクリミッタ１３は、媒体繰出し部５から繰り出される印刷媒体２にブレーキをかけることで、印刷媒体２に所定の張力を付与する機能を果たしている。具体的には、トルクリミッタ１３は、支持軸１１にブレーキをかけることで、印刷媒体２に所定の張力を付与する機能を果たしている。
【００２９】
回転側部材２１は、鍔付きの円筒状に形成されており、円筒状の円筒部２１ａと鍔部２１ｂとを備えている。鍔部２１ｂは、円筒部２１ａの左端に形成されている。鍔部２１ｂは、円筒部２１ａの径方向の外側に広がる円環状かつ平板状に形成されている。円筒部２１ａの右端側部分の外周面には、オネジ２１ｃが形成されている。回転側部材２１の内周側には、回転軸１６が挿通されている。
【００３０】
鍔部２１ｂの左面には、平行ピン２７が配置されるピン溝２１ｄが形成されている。回転軸１６には、平行ピン２７が挿通される貫通穴１６ａが形成されている。回転軸１６の回転力は、平行ピン２７によって回転側部材２１に伝達されるため、回転側部材２１は、回転軸１６と一緒に回転する。すなわち、回転側部材２１は、回転軸１６、歯車１４、１５および支持軸１１と一緒に回転する。また、回転側部材２１は、回転軸１６および歯車１４、１５を介して支持軸１１に連結されている。すなわち、トルクリミッタ１３は、回転軸１６および歯車１４、１５を介して支持軸１１に連結されている。
【００３１】
固定側部材２２は、円筒状の円筒部２２ａと、円筒部２２ａの内周面に繋がる円環状かつ平板状の円環部２２ｂとを備えている。円環部２２ｂは、左右方向における円筒部２２ａの中間位置で円筒部２２ａの内周面に繋がっている。固定側部材２２は、支持部材１８に固定されている。具体的には、円筒部２２ａの左端部が支持部材１８の右端面に固定されている。すなわち、固定側部材２２は、フレーム１２に取り付けられている。固定側部材２２の内周側には、回転側部材２１が挿入されている。回転側部材２１の鍔部２１ｂは、円環部２２ｂの左側に配置されており、円環部２２ｂの内周側には、回転側部材２１の円筒部２１ａが配置されている。
【００３２】
調整部材２５は、鍔付きの円筒状に形成されており、円筒状の円筒部２５ａと鍔部２５ｂとを備えている。鍔部２５ｂは、円筒部２５ａの右端に形成されている。鍔部２５ｂは、円筒部２５ａの径方向の外側に広がる円環状かつ平板状に形成されている。鍔部２５ｂの内径は、円筒部２５ａの内径よりも小さくなっている。調整部材２５の内周側には、回転側部材２１の円筒部２１ａの右端側部分が挿通されている。鍔部２５ｂの内周面には、回転側部材２１のオネジ２１ｃに螺合するメネジ２５ｃが形成されている。
【００３３】
左右方向を回動の軸方向として回転側部材２１に対して調整部材２５を回動させると、調整部材２５は、回転側部材２１に対して左右方向へ移動する。円筒部２５ａの外径は、固定側部材２２の円筒部２２ａの内径よりも小さくなっている。鍔部２５ｂの外径は、円筒部２２ａの外径よりも大きくなっている。鍔部２５ｂは、円筒部２２ａの右端面よりも右側に配置されている。回転側部材２１に対して調整部材２５を所定量、左側に移動させると、円筒部２５ａの左端部は、円筒部２２ｂの内周側に入り込む。
【００３４】
摩擦板２３は、円環状かつ平板状に形成されている。摩擦板２３の内周側には、回転側部材２１の円筒部２１ａが挿通されている。摩擦板２３は、左右方向において、回転側部材２１の鍔部２１ｂと固定側部材２２の円環部２２ｂとの間に配置されている。圧縮コイルバネ２４には、円筒部２１ａが挿通されている。また、圧縮コイルバネ２４は、固定側部材２２の円筒部２２ａおよび調整部材２５の円筒部２５ａの内周側に配置されている。圧縮コイルバネ２４の左端は、円環部２２ｂの右面に接触し、圧縮コイルバネ２４の右端は、調整部材２５の鍔部２５ｂの左面に接触している。
【００３５】
圧縮コイルバネ２４は、固定側部材２２に対して調整部材２５および回転側部材２１を右側に付勢している。圧縮コイルバネ２４の付勢力によって、鍔部２１ｂの右面と摩擦板２３の左面とが所定の接触圧で接触し、摩擦板２３の右面と円環部２２ｂの左面とが所定の接触圧で接触している。すなわち、圧縮コイルバネ２４は、回転側部材２１と摩擦板２３と固定側部材２２とが接触する方向（具体的には、鍔部２１ｂと摩擦板２３と円環部２２ｂとが接触する方向）に固定側部材２２に対して回転側部材２１を付勢している。
【００３６】
本形態では、調整部材２５を回動させて左右方向に移動させることで、圧縮コイルバネ２４の付勢力を調整することが可能になっている。また、圧縮コイルバネ２４の付勢力を調整して、鍔部２１ｂと摩擦板２３との接触圧および摩擦板２３と円環部２２ｂとの接触圧を調整することで、トルクリミッタ１３のトルク設定値を調整することが可能となっている。すなわち、本形態では、トルクリミッタ１３のトルク設定値が調整可能となっており、トルクリミッタ１３のトルク設定値は、圧縮コイルバネ２４の付勢力を調整することで調整される。なお、トルクリミッタ１３のトルク設定値が設定されると、図示を省略する回り止め部材によって、回転側部材２１に対する調整部材２５の回動が防止される。
【００３７】
上述のように、印刷媒体処理装置１では、様々な種類の印刷媒体２に対して加熱処理を行うことが可能になっており、様々な種類のロール状媒体９が支持軸１１に取り付けられる。本形態では、支持軸１１に取り付けられるときのロール状媒体９の重量に応じてトルクリミッタ１３のトルク設定値を調整して設定する。すなわち、媒体繰出し部５にセットされるときのロール状媒体９の重量に応じてトルクリミッタ１３のトルク設定値を調整して設定する。
【００３８】
（本形態の主な効果）
以上説明したように、本形態では、媒体繰出し部５は、ロール状媒体９と一緒に回転する支持軸１１と、支持軸１１に連結されるトルクリミッタ１３とを備えており、トルクリミッタ１３のトルク設定値は、調整可能になっている。また、本形態では、媒体繰出し部５にセットされるときのロール状媒体９の重量に応じてトルクリミッタ１３のトルク設定値を調整して設定している。そのため、本形態では、処理される印刷媒体２に応じた適切な値にトルクリミッタ１３のトルク設定値を調整して設定することが可能になる。したがって、本形態では、処理される印刷媒体２に応じた適切な値にトルクリミッタ１３のトルク設定値を調整して設定することで、様々な種類の印刷媒体２に対して処理を行う場合であっても、媒体繰出し部５から繰り出される印刷媒体２にトルクリミッタ１３によって所定の張力を付与することが可能になる。
【００３９】
また、本形態では、印刷媒体２が伸縮しやすい布帛であり、かつ、媒体処理部４の内部に配置される印刷媒体２が上下方向に蛇行しているため、媒体繰出し部５から繰り出される印刷媒体２に作用する張力が変動しやすくなるが、本形態では、媒体繰出し部５から繰り出される印刷媒体２にトルクリミッタ１３によって所定の張力を付与することが可能になる。
【００４０】
（他の実施の形態）
上述した形態は、本発明の好適な形態の一例ではあるが、これに限定されるものではなく本発明の要旨を変更しない範囲において種々変形実施が可能である。
【００４１】
上述した形態では、トルクリミッタ１３は、回転軸１６および歯車１４、１５を介して支持軸１１に連結されているが、トルクリミッタ１３は、支持軸１１に直接連結されていても良い。また、上述した形態において、印刷媒体２は、印刷用紙または樹脂シート（樹脂フィルム）等の布帛以外の媒体であっても良い。さらに、上述した形態において、印刷媒体処理装置１は、印刷前の長尺状の印刷媒体２に、インクの浸透度等を調整するための前処理剤を塗布する前処理機であっても良いし、発色機での加熱処理後に、印刷媒体２に残った余分な前処理剤およびインクを洗い流す洗い機であっても良い。
【符号の説明】
【００４２】
１  印刷媒体処理装置
２  印刷媒体
４  媒体処理部
５  媒体繰出し部
６  媒体巻取り部
９  ロール状媒体
１１  支持軸
１２  フレーム
１３  トルクリミッタ
２１  回転側部材
２２  固定側部材
２３  摩擦板
２４  圧縮コイルバネ（付勢部材）
【図１】
2020132362.tif 000003
【図２】
2020132362.tif 000004
【図３】
2020132362.tif 000005